(57)【要約】  視聴者にビデオ広告の残りの時間を表示するための方法、当該方法を実装するシステム、およびＴＶコマーシャルが開示されている。本方法は、プロセッサー上で、ビデオ広告の表示、ビデオ広告上でのインジケータの重ね合わせで、インジケータバーがビデオ広告の残りの時間を表示する第１部分およびビデオ広告の経過した時間を表示する第２部分を有するもの、ならびにビデオ広告が終了するまで、第１部分のサイズの縮小化および第２部分のサイズの拡大化を行うことを含んでいる。
2014519765.tif 000002
【特許請求の範囲】
【請求項１】
視聴者にビデオ広告の残りの時間を表示するための方法であって、
ビデオ広告の表示と、
ビデオ広告上でのインジケータの重ね合わせで、インジケータがビデオ広告の残りの時間を表示する第１部分およびビデオ広告の経過した時間を表示する第２部分を有するインジケータの重ね合わせと、
ビデオ広告が終了するまでの第１部分のサイズの縮小化および第２部分のサイズの拡大化とを含む、方法。
【請求項２】
ビデオ広告が対話式のテレビコマーシャルで、インジケータが、視聴者がコマーシャルと対話する残りの時間を表示する、請求項１に記載の方法。
【請求項３】
ビデオ広告に関連したオファーがインジケータに表示される、請求項２に記載の方法。
【請求項４】
第１部分のサイズの縮小および第２部分のサイズの拡大がビデオ広告の残りの時間に比例している、請求項１に記載の方法。
【請求項５】
第１部分のサイズの縮小および第２部分のサイズの拡大が同じレートである、請求項４に記載の方法。
【請求項６】
少なくとも一定の割合のインジケータが半透明である、請求項１に記載の方法。
【請求項７】
第１部分が半透明で第２部分が不透明であるか、または第１部分が不透明で第２部分が半透明である、請求項６に記載の方法。
【請求項８】
第１部分と第２部分が異なる色、不透明度、質感、またはその組み合わせを有している、請求項１に記載の方法。
【請求項９】
インジケータがバーである、請求項１に記載の方法。
【請求項１０】
第１部分のサイズの縮小および第２部分のサイズの拡大が連続的である、請求項１に記載の方法。
【請求項１１】
ビデオ広告を表示すると同時に、視聴者にビデオ広告の残りの時間を表示するためのシステムであって、
プロセッサーと、
プロセッサーに結合されたディスプレイと、
プロセッサー上で実行するソフトウェアで、
ディスプレイ上でのビデオの広告の表示、
ビデオ広告上でのインジケータの重ね合わせで、インジケータがビデオ広告の残りの時間を表示する第１部分およびビデオ広告の経過した時間を表示する第２部分を有するインジケータの重ね合わせ、
ビデオ広告が終了するまで第１部分のサイズの縮小化および第２部分のサイズの拡大化を行う、ソフトウェアとを備える、システム。
【請求項１２】
ビデオ広告が対話式のテレビコマーシャルで、インジケータが、視聴者がコマーシャルと対話する残りの時間を表示する、請求項１１に記載のシステム。
【請求項１３】
ビデオ広告に関連したオファーがインジケータに表示される、請求項１２に記載のシステム。
【請求項１４】
第１部分のサイズの縮小および第２部分のサイズの拡大がビデオ広告の残りの時間に比例している、請求項１１に記載のシステム。
【請求項１５】
第１部分のサイズの縮小および第２部分のサイズの拡大が同じレートである、請求項１４に記載のシステム。
【請求項１６】
少なくとも一定の割合のインジケータが半透明である、請求項１１に記載のシステム。
【請求項１７】
第１部分が半透明で第２部分が不透明であるか、または第１部分が不透明で第２部分が半透明である、請求項１６に記載のシステム。
【請求項１８】
第１部分と第２部分が異なる色、不透明度、質感、またはその組み合わせを有している、請求項１１に記載のシステム。
【請求項１９】
インジケータがバーである、請求項１１に記載のシステム。
【請求項２０】
第１部分のサイズの縮小および第２部分のサイズの拡大が連続的である、請求項１１に記載のシステム。
【請求項２１】
ビデオ広告の残りの時間の表示を有するビデオ広告であって、
ビデオ広告上に重ね合わされたインジケータで、
インジケータがビデオ広告の残りの時間を表示する第１部分およびビデオ広告の経過した時間を表示する第２部分を有し、
ビデオ広告が終了するまで第１部分のサイズの縮小化および第２部分のサイズの拡大化を行う、インジケータを備えるビデオ広告。
【請求項２２】
ビデオ広告が対話式のテレビコマーシャルで、インジケータが、視聴者がコマーシャルと対話する残りの時間を表示する、請求項２１に記載のビデオ広告。
【請求項２３】
インジケータに表示されるビデオ広告に関連したオファーをさらに含む、請求項２２に記載のビデオ広告。
【請求項２４】
第１部分のサイズの縮小および第２部分のサイズの拡大がビデオ広告の残りの時間に比例している、請求項２１に記載のビデオ広告。
【請求項２５】
第１部分のサイズの縮小および第２部分のサイズの拡大が同じレートである、請求項２４に記載のビデオ広告。
【請求項２６】
少なくとも一定の割合のインジケータが半透明である、請求項２１に記載のビデオ広告。
【請求項２７】
第１部分が半透明で第２部分が不透明であるか、または第１部分が不透明で第２部分が半透明である、請求項２６に記載のビデオ広告。
【請求項２８】
第１部分と第２部分が異なる色、不透明度、質感、またはその組み合わせを有している、請求項２１に記載のビデオ広告。
【請求項２９】
インジケータがバーである、請求項２１に記載のビデオ広告。
【請求項３０】
第１部分のサイズの縮小および第２部分のサイズの拡大が連続的である、請求項２１に記載のビデオ広告。
【発明の詳細な説明】
【技術分野】
【０００１】
本出願は、２０１１年６月２日に出願された「ビデオ広告の進捗時間表示方法および装置」と題する米国仮特許出願第６１／４９２４３１号に対して優先権を主張するものであり、参照によってこの特許の内容全体を明確に本明細書に引用したものとする。
【０００２】
本発明は、テレビ広告に向けられている。具体的には、本発明は対話またはトランザクションが可能なビデオ広告に向けられている。
【背景技術】
【０００３】
既存のテレビ（ＴＶ）システムでは、オーディオおよび／またはビデオおよび／または対話機能強化（例えば、ＥＢＩＦ（Ｅｎｈａｎｃｅｄ  ＴＶ  Ｂｉｎａｒｙ  Ｉｎｔｅｒｃｈａｎｇｅ  Ｆｏｒｍａｔ：機能強化ＴＶバイナリーインターチェンジフォーマット）アプリケーション）を含む、広告（宣伝またはコマーシャル）がいくつかのポイントで挿入される。広告は、例えば、全米放送事業者（すなわち、ＮＢＣやＡＢＣ）、プログラミングネットワーク（例えば、ＥＳＰＮ）、ローカルプログラミングネットワーク加盟系列局、ヘッドエンドで広告の挿入が集中的に行われるケーブル事業者（または同様の事業者）、交換デジタルビデオインフラストラクチャーを介して分散された挿入でターゲット広告を含めるケーブル事業者、デジタルビデオレコーダー（ＤＶＲ）に保存されたり、ライブまたは記録されたストリームに挿入されたりするターゲット広告を含めるケーブル事業者、またはビデオオンデマンド（ＶＯＤ）事業者、あるいはインターネットビデオストリーミング事業者によって挿入されることができる。
【０００４】
対話またはトランザクションが可能なビデオ広告は、特に、テキストバナーまたは記号的要素の追加機能を既存または新規に作成されたビデオ広告に追加することにより作成されるもので、広告との対話またはトランザクションの機会が終了するときに関して、視聴者に対して視覚的な手がかりを何も提供しない。提案されている一部の解決策は、デジタルベースのカウントダウンタイマーまたは記号ベースのカウントダウンタイマーを追加することである。しかし、これらの方法はどちらも、画面上の貴重なスペースを占有し、視聴者の注意を広告から奪うものとなる。
【発明の概要】
【発明が解決しようとする課題】
【０００５】
本発明は、現在の対策および設計に関連付けられた課題および欠点を克服するもので、対話またはトランザクションが可能なビデオ広告の機能を強化する新しいツールおよび方法を提供するものである。
【課題を解決するための手段】
【０００６】
本発明の一実施形態は、視聴者にビデオ広告の残りの時間を表示する方法に向けられている。本方法は、ビデオ広告の表示、ビデオ広告上でのインジケータの重ね合わせで、インジケータバーがビデオ広告の残りの時間を表示する第１部分およびビデオ広告の経過した時間を表示する第２部分を有するインジケータの重ね合わせ、ならびにビデオ広告が終了するまで、第１部分のサイズの縮小化および第２部分のサイズの拡大化を行うことを含んでいる。
【０００７】
ビデオ広告が対話式のテレビコマーシャルで、インジケータバーが、視聴者がコマーシャルと対話する残りの時間を表示するものであることが好適である。好適な実施形態では、ビデオ広告に関連したオファーがインジケータに表示される。第１部分のサイズの縮小および第２部分のサイズの拡大は、ビデオ広告の残りの時間に比例していることが好適である。
【０００８】
好適な実施形態では、第１部分のサイズの縮小および第２部分のサイズの拡大は、同じレートである。少なくとも一定の割合のインジケータが半透明であることが好適である。第１部分が半透明で第２部分が不透明であるか、または第１部分が不透明で第２部分が半透明であることが好適である。第１部分と第２部分が異なる色、不透明度、質感、またはその組み合わせを有していることが好適である。インジケータはバーであることが好適である。第１部分のサイズの縮小および第２部分のサイズの拡大が連続的であることが好適である。
【０００９】
本発明の別の実施形態は、ビデオ広告を表示すると同時に、ビデオ広告の残り時間を視聴者に表示するシステムに向けられている。システムは、プロセッサー、プロセッサーに結合されディスプレイ、およびプロセッサー上で実行するソフトウェアを備えている。ソフトウェアは、ディスプレイ上でビデオ広告を表示し、ビデオ広告上にインジケータを重ね合わせするもので、インジケータバーがビデオ広告の残りの時間を表示する第１部分およびビデオ広告の経過した時間を表示する第２部分を有しており、そしてビデオ広告が終了するまで、第１部分のサイズを縮小して、第２部分のサイズを拡大する。
【００１０】
ビデオ広告が対話式のテレビコマーシャルで、インジケータが、視聴者がコマーシャルと対話する残りの時間を表示するものであることが好適である。好適な実施形態では、ビデオ広告に関連したオファーがインジケータに表示される。第１部分のサイズの縮小および第２部分のサイズの拡大は、ビデオ広告の残りの時間に比例していることが好適である。第１部分のサイズの縮小および第２部分のサイズの拡大が同じレートであることが好適である。
【００１１】
好適な実施形態では、少なくとも一定の割合のインジケータが半透明である。第１部分が半透明で第２部分が不透明であるか、または第１部分が不透明で第２部分が半透明であることが好適である。第１部分と第２部分が異なる色、不透明度、質感、またはその組み合わせを有していることが好適である。インジケータはバーであることが好適である。第１部分のサイズの縮小および第２部分のサイズの拡大が連続的であることが好適である。
【００１２】
本発明の別の実施形態は、ビデオ広告の残り時間の表示を有するビデオ広告に向けられている。ビデオ広告は、ビデオ広告上で重ね合わされたインジケータで、インジケータバーがビデオ広告の残りの時間を表示する第１部分およびビデオ広告の経過した時間を表示する第２部分を有し、ビデオ広告が終了するまで、第１部分のサイズを縮小して第２部分のサイズを拡大する。
【００１３】
ビデオ広告が対話式のテレビコマーシャルで、インジケータが、視聴者がコマーシャルと対話する残りの時間を表示するものであることが好適である。ビデオ広告が、インジケータに表示されるビデオ広告に関連したオファーをさらに含むことが好適である。第１部分のサイズの縮小および第２部分のサイズの拡大は、ビデオ広告の残りの時間に比例していることが好適である。好適な実施形態では、第１部分のサイズの縮小および第２部分のサイズの拡大は、同じレートである。
【００１４】
少なくとも一定の割合のインジケータが半透明であることが好適である。好適な実施形態では、第１部分が半透明で第２部分が不透明であるか、または第１部分が不透明で第２部分が半透明である。第１部分と第２部分が異なる色、不透明度、質感、またはその組み合わせを有していることが好適である。インジケータはバーであることが好適である。第１部分のサイズの縮小および第２部分のサイズの拡大が連続的であることが好適である。
【００１５】
本発明の他の実施形態および利点は、一部は続く説明で示されており、一部はこの説明からおそらく明らかであるか、本発明の実施から理解されることが可能である。
【００１６】
本発明は、ほんの一例として、添付図面を参照してより詳細に説明される。
【図面の簡単な説明】
【００１７】
【図１】対話的要素により機能が強化されるビデオ広告のスクリーンショットの例を図示している。
【図２】背景要素を伴う対話式広告の３つのタイムスライスを図示している。
【発明を実施するための形態】
【００１８】
本明細書で具体化かつ大まかに説明されているように、本明細書の開示では、本発明の詳細な実施形態を提供している。しかし、開示された実施形態は種々および代替の形で具体化されることが可能な本発明の単なる例に過ぎない。したがって、特定の構造的および機能的詳細が制限されるべきことを意図するものではなく、むしろ、請求項の基礎および本発明を種々に使用する目的で、当業者を教示するための代表的な基礎として提供することを意図している。
【００１９】
本発明の実施形態によって解決されることが可能な技術の課題は、対話またはトランザクションが可能なビデオ広告の視聴者に、広告と対話またはトランザクションするためのタイムフレームを中継ぎすることである。本発明は、広告と対話またはトランザクションする機会がセクションを比例的に変化することによって終了する場合に、広告の再生または一時停止の残りの時間に基づき、およびそれに比例し、バナーの色、不透明度（背後のビデオに対して透過性）、または質感に応じて、視聴者に視覚的な手がかりを提供する課題を解決するものである。
【００２０】
一好適な実施形態では、対話またはトランザクションが可能なビデオ広告は、広告のビデオコンポーネント、広告のオーディオコンポーネント、広告の再生中に視聴者により開始されることが可能な特定の対話またはトランザクションのテキストまたは他のインジケータ、広告の再生中に視聴者により開始されることが可能な特定の対話またはトランザクションを示す少なくとも１つのグラフィカル要素（例えば、イメージまたはボタン）、ならびに上部にテキストおよび／または記号のグラフィカル要素が表示される背景要素を備えている。
【００２１】
テキストまたは記号のグラフィカル要素は類似した配色の周辺部よりも対照的な周辺部に対しての方がより明確になるので、常時変化するビデオで明確に見えるようにテキストまたは記号のグラフィカル要素のための色を選択することは難しいことである。好適な実施形態では、広告およびテレビ業界では、背景要素の使用を、ビデオの再生または一時停止中に表示されるテキストまたは記号のグラフィカル要素の周辺部に合わせて変化させている。背景要素（例えば、長方形またはバナーとすることができる）は、特定の色、不透明度、質感、またはそれらの組み合わせの要素であることが好適である。
【００２２】
対話またはトランザクション要素を有することが可能な広告は、全米広告スロットを購入する広告主、ローカル広告スロットを購入する広告主、または全米広告をカスタマイズまたは個別化するローカル広告主により製作される。対話またはトランザクションが可能な広告に関連したメタデータおよび制御信号は、全米放送事業者、ローカル放送事業者、またはサービス事業者により挿入されることができる。対話またはトランザクションが可能な広告の再生および広告と対話またはトランザクションするための残りの時間量を示す背景要素の表示はクライアントデバイス（例えば、セットトップボックスまたはコンピューター）によって行われることができる。
【実施例】
【００２３】
図１は、視聴者が１個購入すると１個無料というオファーのためのクーポンを注文することが可能な対話要素によって、機能が強化されたビデオ広告１０１の好適な実施形態を図示している。背景要素２１０を含む対話コンポーネントは、同じ視覚的属性（例えば、色および不透明度）を備えるピクセルから構成されている。背景要素２１０がビデオ上部に沿って図示されているが、背景要素２１０はビデオ下部に沿って、ビデオの片側に沿って、ビデオ内の別の位置、およびそれらの組み合わせに配置されることが可能である。
【００２４】
図２は、視聴者が対話的オファーに基づいて行動するために残されている時間２０５に反比例して不透明度を変化させる背景要素２１０を備える対話的広告の３つのタイムスライス（タイム１、タイム２、およびタイム３）を図示している。
【００２５】
広告１０１のビデオ部分は背景要素２１０によりカバーされ、その一部２０２は、「クーポン」とラベル付けされたボタンをクリックすることで表示されたオファーに基づいて行動するために残された時間の視聴者へのインジケータとして時間に比例して変化する。タイム３からタイム１へと時間が減少するにつれ、背景要素２１０は左から右へとますます不透明になり、タイム３の位置２０４からタイム２の位置２０３へ、タイム１の位置２０１へと変化する。
【００２６】
この例では、背景要素２１０には、不透明度が異なる２つの領域、部分２０２と部分２００があり、コマーシャルで残されている時間に比例して幅が変化する。部分２０２と部分２００は異なる不透明度で示されているが、その代わりに、２つの部分が同じ不透明度で、異なる色または２つの部分の相違の異なる表示とすることもできる。時間とともに、部分２００の幅は拡大し、部分２０２の幅は縮小する。さらに、部分２００と２０２間の境も、２つの部分の相対的な幅の変化に従って移動する。移動は左から右へと示されているが、移動は右から左、上から下、下から上、斜め方向とすることができ、あるいは別の移動を有することもできる。その上、背景要素は、円形、ロゴ、らせん、直線、イメージ、イメージのセット、またはアイコンなどの別の形状とすることもできる。背景要素は退色したり、不透明化したり、画面の端から端まで移動したり、形状、サイズ、または色を変化させたり、あるいは残りの時間の別の表示を有するものとすることができる。
【００２７】
本明細書で提供されている例はＴＶ視聴システム用であるが、本発明はさらに、ＰＣ、タブレット、スマートフォン、ゲームコンソール、ならびに他のストリーミングおよび線形プログラミングデバイスでのビデオ視聴を含むがそれらに限定されない、視聴者が関係する他のビデオおよびオーディオの利用分野にも適用可能である。
【００２８】
本明細書で説明されている例示的環境はハードディスクデータベースを採用しているが、磁気カセット、フラッシュメモリーカード、デジタル汎用ディスク、カートリッジ、ランダムアクセスメモリー（ＲＡＭ）、読み出し専用メモリー（ＲＯＭ）、ビットストリームを含むケーブルまたはワイヤレス信号など、コンピューターからアクセス可能なデータを保存できる他のタイプのコンピューター読み出し可能メディアも例示的動作環境で使用されることができることを、当業者には認識されたい。
【００２９】
説明を明確にするために、例示的システムの実施形態は、個別の機能的ブロック（「プロセッサー」としてラベル付けされている機能的ブロックを含む）を備えるものとして提示されている。これらのブロックが表す機能は、ソフトウェアを実行することができるハードウェアを含むがそれに限定されることがない、共有または専用ハードウェアのいずれかの使用により提供されることができる。例えば、図１で提示されている１つ以上のプロセッサーの機能は、単一の共有プロセッサーまたは複数のプロセッサーによって提供されることが可能である。（「プロセッサー」という用語の使用は、ソフトウェアを実行することができるハードウェアのみを指すものと解釈されるべきではない）。例示的実施形態では、マイクロプロセッサーおよび／またはデジタル信号プロセッサー（ＤＳＰ）ハードウェア、以下で説明される動作を実行するソフトウェアを保存するための読み出し専用メモリー（ＲＯＭ）、ならびに結果を保存するためのランダムアクセスメモリー（ＲＡＭ）を備えている。超大規模集積回路（ＶＬＳＩ）ハードウェアの実施形態の他、汎用目的ＤＳＰ回路と組み合わせたカスタムＶＬＳＩ回路も提供されることができる。
【００３０】
本発明の範囲内の実施形態にはさらに、そこに保存されたコンピューター実行可能命令またはデータ構造を搬送または保持するためのコンピューター読み取り可能メディアも含むことができる。そのようなコンピューター読み取り可能メディアは、汎用目的または特殊目的コンピューターによりアクセスされることができる使用可能な任意のメディアとすることができる。限定するものではないが一例として、そのようなコンピューター読み取り可能メディアには、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、あるいはコンピューター実行可能命令またはデータ構造の形で所望のプログラムコード手段を搬送または保存するために使用されることが可能な他の任意のメディアを含めることができる。情報がネットワークまたは別の通信接続（有線、ワイヤレス、またはそれらの組み合わせ）を介してコンピューターに転送または提供される場合、コンピューターは接続をコンピューター読み取り可能メディアとして適切に認識する。したがって、そのような接続は適切に、コンピューター読み取り可能メディアと呼ばれる。上記の組み合わせもコンピューター読み取り可能メディアの範囲内に含まれるべきである。
【００３１】
コンピューター実行可能命令には、例えば、汎用目的コンピューター、特殊目的コンピューター、または特殊目的処理デバイスに特定の機能または機能のグループを実行させる命令とデータが含まれる。コンピューター実行可能命令にはさらに、スタンドアロンまたはネットワーク環境のコンピューターによって実行されるプログラムモジュールも含まれる。通常、プログラムモジュールには、特定のタスクの実行または特定の抽象データ型の実装を行う、ルーチン、プログラム、オブジェクト、コンポーネント、およびデータ構造などが含まれる。コンピューター実行可能命令、関連したデータ構造、およびプログラムモジュールは、本明細書で開示された方法の各ステップを実行するためのプログラムコード手段の各例を表している。そのような実行可能命令または関連したデータ構造の特定のシーケンスは、そのような各ステップで説明されている機能を実装するための対応する動作の各例を表している。
【００３２】
当業者ならば、本発明の他の実施形態が、パーソナルコンピューター、ハンドヘルドデバイス、マルチプロセッサーシステム、マイクロプロセッサーベースまたはプログラム可能な電子機器、ネットワークＰＣ、ミニコンピューター、メインフレームコンピューターなどを含む、多くのタイプのコンピューターシステム構成を使ったネットワークコンピューティング環境で実施されることができることを認識されるであろう。ネットワークには、インターネット、１つ以上のローカルエリアネットワーク（「ＬＡＮ」）、１つ以上のメトロポリタンエリアネットワーク（「ＭＡＮ」）、１つ以上のワイドエリアネットワーク（「ＷＡＮ」）、１つ以上のイントラネットなどを含めることができる。実施形態はさらに、タスクが通信ネットワークを介してリンクされる（有線リンク、ワイヤレスリンク、またはそれらの組み合わせのいずれかで）ローカルまたはリモート処理デバイスにより実行される分散コンピューティング環境でも実施されることができる。分散コンピューティング環境の場合、プログラムモジュールは、ローカルとリモートの両方のメモリー記憶デバイスに配置されることが可能である。
【００３３】
本発明の他の実施形態および使用は、本明細書で開示された本発明の明細および実施の検討から当業者には明らかになるであろう。すべての出版物、米国および外国特許および特許出願を含む、本明細書で引用されているすべての参照資料は、参照によって内容全体を明確に本明細書に引用したものとする。明細および例は、次の請求項により示される本発明の実際の範囲と趣旨に関する単なる一例と見なされるべきことを意図している。その上、「含む、備える（ｃｏｍｐｒｉｓｉｎｇ  ｏｆ）」という用語は、「構成する（ｃｏｎｓｉｓｔｉｎｇ  ｏｆ）」および「基本的に構成する（ｃｏｎｓｉｓｔｉｎｇ  ｅｓｓｅｎｔｉａｌｌｙ  ｏｆ）」という用語を含むものである。
【図１】
2014519765.tif 000003
【図２】
2014519765.tif 000004
【国際調査報告】
2014519765.tif 000005